(57)【要約】【課題】  外部から取込まれる空気の吸気路を確保でき、且つ空気を外部から取込むためのファンの着脱が容易な衣服の提供。【解決手段】  作業着本体２と作業者Ｈの身体との間に外部の空気を取込むための羽根１５を備えたファン装置１１を、作業着本体２に着脱自在に備え、作業着本体２の後身頃３，４の裏側に配置したポケット地を備え、作業着本体２の服地とポケット地との間に、ファン装置１１の出入口２５を有したファンポケット１２，１３を備え、服地に、ファンポケット１２，１３に収納されたファン装置１１の空気吸込口２２に対向する身頃側開口３３が形成され、ポケット地に、ファンポケット１２，１３に収納されたファン装置１１の空気吹出口２３に対向するポケット側開口３４が形成された構成。【選択図】  図４
2017150120.tif 000002
【特許請求の範囲】
【請求項１】
衣服本体と装着者の身体との間に外部の空気を取込むための羽根を備えたファン装置を、前記衣服本体に着脱自在に備えた衣服であって、
前記衣服本体の身頃の裏側に配置したポケット地を備え、前記衣服本体の服地と前記ポケット地との間に、前記ファン装置の出入口を有するポケットを備え、
前記身頃の服地に、前記ポケットに収納された前記ファン装置の空気吸込口に対向する身頃側開口が形成され、
前記ポケット地に、前記ポケットに収納された前記ファン装置の空気吹出口に対向するポケット側開口が形成されたことを特徴とする衣服。
【請求項２】
前記出入口が前記ポケットの丈方向上端に形成され、
前記ポケット地は、収納された前記ファン装置の自重が働くことで該ファン装置を支える底地と、収納された前記ファン装置の、前記ポケットの幅方向での位置ずれを規制する側面地と、収納された前記ファン装置の、前記ポケットの襠方向での傾斜を規制する前後地とを備えた請求項１記載の衣服。
【請求項３】
前記ポケットに対する前記ファン装置の収納向きを確認可能な確認手段が設けられた請求項１または請求項２記載の衣服。
【請求項４】
前記衣服本体に、前記ファン装置の駆動部に回転駆動電力を供給するための電池を着脱自在に備え、
前記ファン装置は、前記電池に接続された給電側コネクタが着脱自在に接続される受電側コネクタを備え、
前記確認手段は、前記ポケットに設けられて前記受電側コネクタに対する前記給電側コネクタの接続方向を所定向きに保持する保持部を備え、
前記ファン装置が前記ポケットに正しい収納向きで収納される場合に、前記受電側コネクタおよび給電側コネクタの接続方向が一致し、前記ファン装置が前記ポケットに正しい収納向きと異なる向きで収納される場合に、前記受電側コネクタおよび給電側コネクタの接続方向が不一致となる請求項３記載の衣服。
【請求項５】
前記身頃の服地において、前記身頃側開口の周囲に身頃側保形材が設けられ、
前記ポケット地においては、前記ポケット側開口の周囲にポケット側保形材が設けられた請求項１ないし請求項４の何れか一項に記載の衣服。
【請求項６】
衣服本体と装着者の身体との間に外部の空気を取込むための羽根を備えたファン装置を、前記衣服本体の身頃に着脱自在に備え、前記身頃の服地に、前記ファン装置の空気吸込口に対向する身頃側開口が形成された衣服であって、
前記衣服本体において、前記ファン装置に対して上側で、且つ前記衣服本体の袖取付部に対して下側の脇部に、脇部開口が形成されたことを特徴とする衣服。
【請求項７】
衣服本体と装着者の身体との間に外部の空気を取込むための羽根を備えたファン装置を、前記衣服本体の身頃に着脱自在に備え、前記身頃の服地に、前記ファン装置の空気吸込口に対向する身頃側開口が形成された衣服であって、
前記衣服本体は袖を備え、該袖は、前記身頃の肩口に取付けられた肩口側袖部と、該肩口側袖部の袖丈方向先端部に分離部を介して着脱可能とされた袖口側袖部とを備えたことを特徴とする衣服。
【発明の詳細な説明】
【技術分野】
【０００１】
本発明は、例えば、温度が上昇し易い環境において作業をする作業者に適した衣服に関する。
【背景技術】
【０００２】
特許文献１に、服地と作業者の身体との間に外部の空気を取込むファンを着脱自在に備えた衣服が提案されている。
【０００３】
ファンは、羽根車と、本体部材と、本体部材とは別部材である取付部材とを備える。本体部材は、羽根車を収納できるよう円筒状に形成されるとともに、円環状のフランジ部を一体に有する。本体部材の外周部には、複数の通気口が形成されている。取付部材は、その内径を本体部材の外径と略等しくした円環状に形成されている。
【０００４】
ファンは、次のようにして服地に取付けられる。すなわち、本体部材を服地の表側から服地に形成した孔部に挿入して、フランジ部を孔部の外周部分であるファン取付部に当接させ、取付部材を本体部材に外嵌するよう服地の裏側から本体部材に取付け、取付部材をファン取付部に当接させる。このようにすることで、ファン取付部がフランジ部および取付部材に挟み込まれて、ファンが服地に取付けられる。そして、取付部材を本体部材から取外し、本体部材を孔部から取外すことで、ファンを服地から取外すことができる。
【０００５】
この衣服では、服地にファンを取付けた状態で羽根車を回転させることで外部の空気が吸われ、孔部に挿入された本体部材内部を吸気路として空気が通過して、通気口から服地と作業者の身体との間の送風エリアに流れるように吐出される。この空気の流れによって汗の気化が促進され、その際に身体の表面から熱が奪われて身体が冷やされる。このような衣服は、例えば温度が上昇し易い工場内で作業をする作業者が着用する衣服として用いられる。
【先行技術文献】
【特許文献】
【０００６】
【特許文献１】再公表特許ＷＯ２００６／０９０６７７号公報
【発明の概要】
【発明が解決しようとする課題】
【０００７】
ところでファンは、上記したように、本体部材を服地の表側から孔部に挿入してフランジ部をファン取付部に当接させ、取付部材を本体部材に外嵌するよう服地の裏側から本体部材に取付けてファン取付部に当接させて、ファン取付部をフランジ部および取付部材で挟み込むことで、服地に取付けられる。
【０００８】
このように、服地へのファンの取付けは煩わしい作業を伴う。衣服を洗濯する場合にファンを服地から取外す場合も、取付部材を本体部材から取外し、本体部材を孔部から取外さなければならないという煩わしさを伴う。
【０００９】
そこで本発明は、外部から取込まれる空気の吸気路を確保でき、且つ空気を外部から取込むためのファンの着脱が容易な衣服の提供を目的とする。
【課題を解決するための手段】
【００１０】
本発明は、衣服本体と装着者の身体との間に外部の空気を取込むための羽根を備えたファン装置を、前記衣服本体に着脱自在に備えた衣服であって、前記衣服本体の身頃の裏側に配置したポケット地を備え、前記衣服本体の服地と前記ポケット地との間に、前記ファン装置の出入口を有するポケットを備え、前記身頃の服地に、前記ポケットに収納された前記ファン装置の空気吸込口に対向する身頃側開口が形成され、前記ポケット地に、前記ポケットに収納された前記ファン装置の空気吹出口に対向するポケット側開口が形成されたことを特徴としている。
【００１１】
上記構成を備えた本発明の衣服によれば、ファン装置は出入口を通してポケットに収納することができ、また取出しをすることができるから、ファン装置の着脱が極めて容易である。しかも、身頃の服地にはファン装置の空気吸込口に対向する身頃側開口が形成され、ポケット地にはファン装置の空気吹出口に対向するポケット側開口が形成されているから、ファン装置の羽根の回転により身頃側開口から取込まれた空気の、ポケット側開口から吐出されるまでの吸気路が、ポケットにより確保される。
【００１２】
本発明の衣服では、前記出入口が前記ポケットの丈方向上端に形成され、前記ポケット地は、収納された前記ファン装置の自重が働くことで該ファン装置を支える底地と、収納された前記ファン装置の、前記ポケットの幅方向での位置ずれを規制する側面地と、収納された前記ファン装置の、前記ポケットの襠方向での傾斜を規制する前後地とを備えた構成を採用できる。
【００１３】
上記構成の衣服によれば、出入口がポケットの丈方向上端に形成されていることで、ポケットにファン装置を収納し易い。ポケットに収納されたファン装置は底地で自重を支えられ、側面地によりポケットの幅方向での位置ずれを規制され、前後地でポケットの襠方向での傾斜が規制されてポケット内での位置保持がなされるから、身頃側開口から取込まれた空気の、ポケット側開口から吐出されるまでの吸気路が確実に確保される。
【００１４】
本発明の衣服では、前記ポケットに対する前記ファン装置の収納向きを確認可能な確認手段が設けられた構成を採用できる。
【００１５】
上記構成の衣服によれば、確認手段によりポケットに対するファン装置の収納向きを確認することで、ファン装置の収納向きを逆むきにしてしまうのを防止できる。
【００１６】
本発明の衣服では、前記衣服本体に、前記ファン装置の駆動部に回転駆動電力を供給するための電池を着脱自在に備え、前記ファン装置は、前記電池に接続された給電側コネクタが着脱自在に接続される受電側コネクタを備え、前記確認手段は、前記ポケットに設けられて前記受電側コネクタに対する前記給電側コネクタの接続方向を所定向きに保持する保持部を備え、前記ファン装置が前記ポケットに正しい収納向きで収納される場合に、前記受電側コネクタおよび給電側コネクタの接続方向が一致し、前記ファン装置が前記ポケットに正しい収納向きと異なる向きで収納される場合に、前記受電側コネクタおよび給電側コネクタの接続方向が不一致となる構成を採用できる。
【００１７】
上記構成の衣服によれば、確認手段の保持部を用いて受電側コネクタに対する給電側コネクタの接続方向を所定向きに保持させ、受電側コネクタが該所定向きに応じた向きとなる状態でファン装置をポケットに収納して受電側コネクタおよび給電側コネクタの接続を行うと、ファン装置の駆動部に電池から供給された回転駆動電力によりファン装置が回転し、空気が身頃側開口から取込まれ、ポケット側開口から吐出される。
【００１８】
本発明の衣服では、前記身頃の服地において、前記身頃側開口の周囲に身頃側保形材が設けられ、前記ポケット地においては、前記ポケット側開口の周囲にポケット側保形材が設けられた構成を採用できる。
【００１９】
上記構成の衣服によれば、装着者が衣服を装着して動いても、身頃の服地においては身頃側開口の周囲に設けた身頃側保形材により身頃側開口の形状が保たれ、ポケット地においてはポケット側開口の周囲に設けたポケット側保形材によりポケット側開口の形状が保たれる。
【００２０】
本発明は、衣服本体と装着者の身体との間に外部の空気を取込むための羽根を備えたファン装置を、前記衣服本体の身頃に着脱自在に備え、前記身頃の服地に、前記ファン装置の空気吸込口に対向する身頃側開口が形成された衣服であって、前記衣服本体において、前記ファン装置に対して上側で、且つ前記衣服本体の袖取付部に対して下側の脇部に、脇部開口が形成されたことを特徴としている。
【００２１】
上記構成の衣服のように、脇部に脇部開口が形成されていれば、ファン装置の羽根の回転により、外部から身頃側開口、ファン装置の空気吸込口を通って取込まれた空気が、脇部開口を通って外部へ排出される際に、発汗の多い身体の脇において汗の気化を促進するから、身体の表面から熱が奪われて、身体が冷やされる。
【００２２】
特に、脇部開口は衣服本体の襟口、袖口に比べてファン装置に近い位置に配置されることになる。このため、脇部開口から排出される空気が、襟口、袖口から排出される空気と、空気量としてバランス良く排出されるよう、脇部開口の大きさや形状を設定することが好ましく、このようにすることで、発汗の多い身体の脇において汗の気化を促進させるとともに、身体全体の表面を均一に冷却することが可能となる。
【００２３】
本発明は、衣服本体と装着者の身体との間に外部の空気を取込むための羽根を備えたファン装置を、前記衣服本体の身頃に着脱自在に備え、前記身頃の服地に、前記ファン装置の空気吸込口に対向する身頃側開口が形成された衣服であって、前記衣服本体は袖を備え、該袖は、前記身頃の肩口に取付けられた肩口側袖部と、該肩口側袖部の袖丈方向先端部に分離部を介して着脱可能とされた袖口側袖部とを備えたことを特徴としている。
【００２４】
上記構成の衣服のように、衣服本体が袖を備えていることにより、ファン装置の羽根の回転により、外部から身頃側開口、ファン装置の空気吸込口を通って取込まれた空気の一部は、袖の袖口から排出される。
【００２５】
上記構成の衣服では、袖が肩口側袖部および袖口側袖部を備え、袖口側袖部は、肩口側袖部の袖丈方向先端部に分離部を介して着脱可能とされているので、袖口側袖部を肩口側袖部から取外すことで装着者の腕を露出させられる分だけ涼感が得られ、しかも分離部が肩口側袖部の袖口となって、この袖口から空気の一部が排出されることで、涼感が得られる。
【発明の効果】
【００２６】
本発明の衣服によれば、外部から取込まれる空気の吸気路を確保でき、且つ空気を外部から取込むためのファン装置の着脱が容易である。
【図面の簡単な説明】
【００２７】
【図１】本発明の一実施形態に係る作業着の背面図である。
【図２】同作業着の前身頃を開いた状態の正面図である。
【図３】同要部拡大正面図である。
【図４】同ファンポケットにファン装置を収納した状態の一部破断側面図である。
【図５】同ファンポケットにファン装置を収納した状態の一部破断平面図である。
【図６】同着用状態を表す背面図である。
【図７】本発明の第二の実施形態に係る作業着の背面図である。
【図８】同着用状態を表す背面図である。
【図９】本発明の第三の実施形態に係る作業着の背面図である。
【発明を実施するための形態】
【００２８】
以下、本発明に係る衣服の一実施形態を、作業者が着用（装着）する作業着に適用させた場合として説明する。この作業着は、温度が上昇し易い環境、例えば工場において作業をする作業者に好適に用いられる。なお、この場合の作業着は、上着である。
【００２９】
図１および図２に示すように、本発明の第一の実施形態に係る作業着１は、綿生地から構成される作業着本体２を備える。作業着本体２の基本的な構成は、従来から用いられている作業着の構成であるので、ここでは作業着本体２について概略的に説明する。
【００３０】
作業着本体２は、左右の前身頃３，４と、後身頃５と、左右の袖６，７と、襟８とを備える。前身頃３，４の合せ部にはスライドファスナ１０が縫着されている。袖６，７は長袖であり、袖口部は釦により閉じられる構成である。前身頃３，４および後身頃５の裾部には、裾部がギャザー状になるよう、前身頃３，４および後身頃５に亘ってゴム材が内装されている。
【００３１】
作業着１は、ファン装置１１を収納することで装着可能なファンポケット（収納空間）１２，１３を備える。図３に示すように、ファン装置１１は、躯体１４と、羽根１５と、不図示の駆動部である直流モータと、受電側コネクタ１６とを備える。図４および図５に示すように、躯体１４は前板１７、後板１８、および内装部２０を備えている。前板１７および後板１８は、内装部２０を介してそれぞれ内装部２０に対して前、後に配置されている。
【００３２】
前板１７および後板１８は、それぞれ上下方向高さおよび左右方向幅を略同一にした板状に形成されており、板面の中心位置に通気穴が形成されている。各通気穴は略円形に形成されており、安全を確保するために、通気穴の一部に線材状のガード部材２１が張られている。前板１７に形成された通気穴が空気吸込口２２に相当し、後板１８に形成された通気穴が空気吹出口２３に相当する。内装部２０は円筒状に形成され、内部空間２０Ａが、空気吸込口２２および空気吹出口２３を連通する連通路とされている。このような構成によって、躯体１４は、所定の左右方向幅、所定の上下方向高さ、および所定の前後方向厚みを有する。
【００３３】
内装部２０の中心に前記駆動部が内装され、駆動部の回転子に羽根１５が取付けられている。このファン装置１１は、前後方向の風の流れとなる軸流を発生するよう構成されている。
【００３４】
受電側コネクタ１６は、駆動部に導線を介して電気的に接続されており、長手方向を左右方向とするメスコネクタである。受電側コネクタ１６は、内装部２０の上面に、後述する給電側コネクタ２４の接続離脱方向を左右方向とするように設置され、図３および図４で示すように、前板１７および後板１８に対して上方に突出した位置にある。
【００３５】
ファンポケット１２，１３は、作業着本体２の裏側、すなわち作業着本体２を着用した状態で作業者Ｈ（図６参照）の身体側に配置されている。ファンポケット１２，１３は、後身頃５の裏側で、後身頃５の左右幅方向両側寄り、且つ丈方向下側寄り（裾部寄り）に、それぞれ配置されている。このようにファンポケット１２，１３は、左右一対で設けられている。
【００３６】
各ファンポケット１２，１３の基本的な構成は同一であるので、一方のファンポケット１２に係る説明をもって、他方のファンポケット１３の説明に代用する。ファンポケット１２はポケット地により形成される。ポケット地は服地の裏面に、服地に対して縫着された矩形の補強生地５Ａに縫着されている。具体的に、ポケット地は、作業着本体２と同様に、綿生地によって形成されている。ファンポケット１２を形成するポケット地は、略矩形の底地２６と、襠を形成する略矩形の左右の側面地２７，２８と、襠方向である前後方向で対向する前地３０（服地側の生地）および後地３１（服地の裏側の生地）とを備え、内部を直方体形状の収納空間であるポケット空間としている。前地３０および後地３１のうち、前地３０は作業着本体２の服地の一部である。すなわち、前地３０と後地３１の関係として、服地の外側が前地３０であり、裏側が後地３１である。
【００３７】
底地２６は、収納されたファン装置１１の自重が働くことでファン装置１１をその底部で支える。側面地２７，２８は、収納されたファン装置１１の、ファンポケット１２の左右幅方向での位置ずれを規制する。前地３０および後地３１は、収納されたファン装置１１の、ファンポケット１２の厚み方向（襠方向）での傾斜を規制する。
【００３８】
ファンポケット１２の丈である上下方向高さは、ファン装置１１の高さに比べて高く設定されている。ファンポケット１２の上下方向上端がファン装置１１のファン出入口２５である。ファンポケット１２は、ファン出入口２５を開閉させるための開閉手段を備えている。開閉手段は、前地３０および後地３１に貼着された面ファスナ３２である。面ファスナ３２の高さ位置は、ファンポケット１２にファン装置１１を収納した状態で、ファン装置１１の上面よりも高い位置にある。
【００３９】
後身頃５の服地および補強生地５Ａに、ファンポケット１２に収納されたファン装置１１の空気吸込口２２に対向する身頃側開口３３が形成されている。ファンポケット１２において後身頃５の裏側に配置したポケット地、すなわち後地３１に、ファンポケット１２に収納されたファン装置１１の空気吹出口２３に対向するポケット側開口３４が形成されている。
【００４０】
ポケット側開口３４は、後地３１の幅方向中心位置で、下寄りの位置に配置されている。身頃側開口３３、およびポケット側開口３４は同径の円形に形成され、作業着本体２に対し、同じ上下方向高さ位置、および同じ幅方向位置に配置されている。
【００４１】
後身頃５の服地において、身頃側開口３３の周囲に身頃側保形材３５が縫着され、ファンポケット１２の後地３１においては、ポケット側開口３４の周囲にポケット側保形材３６が縫着されている。身頃側保形材３５およびポケット側保形材３６は合成樹脂により形成され、環状の薄板である。
【００４２】
作業着１は、ファン装置１１の駆動部に回転駆動電力を供給するための電池３７を着脱自在に備える。このために、作業着１は、電池３７を収納取出し可能とする電池ポケット３８を備える。電池ポケット３８は、何れかの前身頃３，４の裏側に設けられている。本実施形態では、電池ポケット３８は、右前身頃３の裏側に設けられている。
【００４３】
電池ポケット３８は作業着本体２と同じ生地で構成されている。電池ポケット３８は、上端に電池出入口４０を備える。電池ポケット３８は、電池出入口４０を開閉させる蓋部材４１を備える。蓋部材４１は、作業着本体２と同じ生地で構成されており、電池出入口４０に対して上方位置において服地に回動自在に縫着されている。電池ポケット３８は、ファンポケット１２に比べて大きく形成されている。これは、作業者Ｈの負担にならない範囲で大容量の電池３７を収納可能とするためである。電池ポケット３８の後地３１と蓋部材４１とは、面ファスナ４２を介して着脱自在に構成されている。
【００４４】
電池３７はＵＳＢ仕様であり、ＵＳＢ電源に接続することで充電可能なバッテリである。すなわち、電池３７は躯体側面に、図示しない受側ＵＳＢポートを備えている。電池３７とファン装置１１の駆動部とは、ＵＳＢケーブル４３を介して接続される。ＵＳＢケーブル４３の一端側に、ＵＳＢ端子４４が取付けられている。ＵＳＢケーブル４３の他端側に、各ファン装置１１の受電側コネクタ１６に着脱自在に接続される、前記給電側コネクタ２４が取付けられている。
【００４５】
ＵＳＢケーブル４３の長手方向途中部分に、駆動部へ電力を給電・遮断させるためのスイッチ４５が設けられている。スイッチ４５は、操作片４６をスライドさせることにより電力の給電・遮断の何れかの選択を行うスライド式スイッチである。作業者Ｈは作業着１を着用した状態で作業をするので、不測に操作片４６が操作されてしまうことを抑制するために、スイッチ４５としてスライド式スイッチが採用されている。
【００４６】
作業着１は、ファンポケット１２に対するファン装置１１の収納向きを確認可能とする確認手段を備えている。確認手段は、ファンポケット１２に設けられて受電側コネクタ１６に対する給電側コネクタ２４の接続方向を所定向きに保持する保持部を備えている。この場合、保持部は、各ファンポケット１２の一方の側面地２７，２８の上部に形成された保持孔４７，４８である。一方の側面地２７，２８は、この場合では、各ファンポケット１２，１３における電池ポケット３８側の側面地２７である。
【００４７】
本実施形態の作業着１では、ファン装置１１がファンポケット１２に正しい収納向きで収納される場合に、保持孔４７，４８に保持された給電側コネクタ２４と受電側コネクタ１６の接続方向が一致し、ファン装置１１がファンポケット１２に正しい収納向きと異なる向き（反対向き）で収納される場合に、受電側コネクタ１６および給電側コネクタ２４の接続方向が不一致となる。
【００４８】
作業着１は、ＵＳＢケーブル４３を挿通させて支持する挿通部５０を備える。挿通部５０はファンポケット１２，１３の間にあって後身頃５の裏側面に縫着された生地により構成されている。
【００４９】
上記構成の作業着１の使用状態では、電池ポケット３８に電池３７が収納されて蓋部材４１が閉じられ、ＵＳＢケーブル４３の途中部分が挿通部５０に挿通されて支持され、受電側コネクタ１６と給電側コネクタ２４が接続された状態で各ファンポケット１２，１３にファン装置１１が収納されて面ファスナ３２が閉じられている。このような使用状態では、給電側コネクタ２４が、保持孔４７，４８に対しファンポケット１２の外側から通されて、給電側コネクタ２４が、幅方向一方側を向いた受電側コネクタ１６に、幅方向を接続方向として接続されている。
【００５０】
作業者Ｈはこのような使用状態にある作業着１を着用して、スイッチ４５の操作片４６をスライドさせてスライドファスナ１０を閉じる。ファン装置１１では、電池３７からファン装置１１の駆動部に電力が供給されて羽根１５が一方向に回転する。羽根１５が回転すると、外部の空気Ｋがファンポケット１２，１３により確保された吸気路５１を通過して、作業着１と作業者Ｈの身体との間に形成された送風エリアＡに送られ、空気Ｋは、図６に示すように、送風エリアＡから襟口、袖口等から外部へ排出される流れの途中において、作業者Ｈの汗の気化を促進し、その際に身体の表面から熱を奪って身体を冷やす。したがって、作業着１は、温度が上昇し易い夏場の工場において作業を行う作業者Ｈに適している。
【００５１】
図４および図５に示すように、吸気路５１は、身頃側開口３３、ファン装置１１の空気吸込口２２、内装部２０の内部空間２０Ａ、ファン装置１１の空気吹出口２３、およびポケット側開口３４により構成される。これら身頃側開口３３、ファン装置１１の空気吸込口２２、ファン装置１１の空気吹出口２３、内装部２０の内部空間２０Ａ、およびポケット側開口３４は、径を略同一とし、しかも同心に配置されている。このため、空気Ｋが吸気路５１を通過する際にその流れが円滑になり、空気Ｋは円滑に送風エリアＡに流れる。
【００５２】
作業者Ｈは、作業のために動く。しかしながら、ファンポケット１２，１３は、作業着本体２の裏側、すなわち作業着本体２を着用した状態で作業者Ｈの身体側に配置され、後身頃５の裏側で、後身頃５の丈方向下側寄りに配置されている。このため、作業者Ｈが作業のために動く際に邪魔にならない。
【００５３】
また、面ファスナ３２が閉じられた状態でのポケット地において、底地２６は、収納されたファン装置１１の自重が働くことでファン装置１１をその底部で支える。側面地２７，２８は、収納されたファン装置１１の、ファンポケット１２の左右幅方向での位置ずれを規制する。さらに、前地３０および後地３１は、収納されたファン装置１１の、ファンポケット１２の厚み方向（襠方向）での傾斜を規制する。ファンポケット１２，１３のファン出入口２５は、面ファスナ３２によって閉じられている。このため、作業者Ｈが作業のために動いたとしても、ポケット地に対するファン装置１１の位置が確実に保持されるから、空気Ｋが吸気路５１を通過する際の流れは円滑である。
【００５４】
しかも、後身頃５の服地において、身頃側開口３３の周囲に身頃側保形材３５が縫着され、ファンポケット１２の後地３１においては、ポケット側開口３４の周囲にポケット側保形材３６が縫着されている。このため、作業者Ｈが作業のために動いたとしても、身頃側開口３３およびポケット側開口３４の形状の変形が抑えられて、吸気路５１の形状を確保できる。
【００５５】
ところで、ファン装置１１をファンポケット１２，１３に収納する際、面ファスナ３２を開いてファンポケット１２，１３の上端をファン出入口２５とし、ファン出入口２５を通して収納する。一般的には、ファン装置１１をファンポケット１２，１３に収納する際は、作業着１を着用する前に行うが、ファンポケット１２，１３の上端にファン出入口２５があれば、ファン装置１１をファンポケット１２，１３に収納し易い。また、仮に、作業着１を着用した状態でファンポケット１２，１３からファン装置１１を取出すことがあったとしても、ファンポケット１２，１３は後身頃５に配置されていたとしても作業着本体２の下寄りにあって、ファン出入口２５がファンポケット１２，１３の上端にあれば、ファン装置１１をファンポケット１２，１３から取出し易い。
【００５６】
作業着１を洗濯する場合、電池３７を電池ポケット３８から取出し、ファン装置１１をファンポケット１２，１３から取出し、さらに、ＵＳＢケーブル４３を取外して作業着本体２を洗濯する。作業着本体２を洗濯し終え、作業着１として使用するには、電池３７を電池ポケット３８に収納し、ファン装置１１をファンポケット１２，１３に収納し、さらに、ＵＳＢケーブル４３を取付ける。そして、ＵＳＢケーブル４３のＵＳＢ端子４４が電池３７に接続され、給電側コネクタ２４がファン装置１１の受電側コネクタ１６に接続される。
【００５７】
特に、給電側コネクタ２４を受電側コネクタ１６に接続するには、給電側コネクタ２４を予め保持孔４７，４８に挿通してＵＳＢケーブル４３を保持孔４７，４８に導入させてから、給電側コネクタ２４を受電側コネクタ１６に接続させる。この際、受電側コネクタ１６の向きが所定方向になるようにしてファン装置１１を各ファンポケット１２，１３に収納する。
【００５８】
所定方向の受電側コネクタ１６の向きとは、受電側コネクタ１６が、保持孔４７，４８が形成された側面地２７，２７に対向する方向である。保持孔４７，４８が形成された側面地２７，２７に対向する方向に受電側コネクタ１６を向けるようにしてファン装置１１を収納すると、一方向に回転する羽根１５により、外部の空気Ｋが吸気路５１を通過して送風エリアＡに送られる。すなわち、空気Ｋが正しい方向に送られる。
【００５９】
なお、ファン装置１１を異なる方向（この場合では前後が逆になる方向）としてファンポケット１２に収納すると、一方向に回転する羽根１５により、送風エリアＡの空気が、外部へ排出される。そうなると、送風エリアＡが負圧になるので、作業着本体２の服地が身体側へ寄って送風エリアＡを確保できなくなる。
【００６０】
このように、本実施形態における作業着１では、確認手段である保持孔４７，４８を用いて受電側コネクタ１６に対する給電側コネクタ２４の接続方向を所定向きで保持させ、受電側コネクタ１６が該所定向きに応じた所定向きとなるようファン装置１１がファンポケット１２に収納された状態において、受電側コネクタ１６および給電側コネクタ２４が正しい方向で接続されることで、ファン装置１１の駆動部に電池３７から供給された回転駆動電力により羽根１５が一方向に回転し、空気Ｋが吸気路５１を、外部から内部へ向けて流れる。ファン装置１１がファンポケット１２に正しい収納向きと異なる向きで収納される場合には、受電側コネクタ１６および給電側コネクタ２４の接続方向は一致せず、空気Ｋが送風エリアＡから吸気路５１を逆流して外部へ流れる。
【００６１】
保持孔４７，４８を通った給電側コネクタ２４がある方向に受電側コネクタ１６があるようにファン装置１１をファンポケット１２，１３に収納すれば、ファン装置１１の収納向きを間違えることがない。
【００６２】
次に、図７および図８を参照しつつ、本発明の第二の実施形態に係る作業着１を説明する。第二の実施形態の作業着１が第一の実施形態の作業着１と異なる部分は、作業着本体２において、ファン装置１１に対して上側で、且つ作業着本体２の袖取付部５５に対して下側の両側の脇部５６に、脇部開口５７が形成されている点である。袖取付部５５は、作業着本体２の身頃において、袖６，７が縫着により取付けられる開口部分（肩口）である。
【００６３】
脇部５６は、作業着本体２において袖６，７が取付けられる袖取付部５５に対して、丈方向下側の所定領域である。第二の実施形態における作業着１において、脇部開口５７およびその周辺の部分の構成以外の構成は、第一の実施形態の作業着１と同様であるので、同一の符合を付してその説明を繰返さない。また、第一の実施形態の作業着１と同様の構成部分について、図７および図８に符合が付されない部分については、図１ないし図６を適宜参照することとする。
【００６４】
服地のうち、脇部５６に相当する部分の領域が切除され、切除された領域を覆うように脇地５８が、身頃の服地に縫着されている。脇地５８は、脇部５６において前身頃３と後身頃５に亘るように、また、前身頃４および後身頃５に亘るように配置されている。各脇地５８は、その前後部（前身頃側、および後身頃側）、および上部（肩口側）において、作業着本体２の服地に縫着され、脇地５８の下部５８Ａは作業着本体２の服地に縫着されない。このため、服地の一部である胴地５９の上部５９Ａと脇地５８の下部５８Ａとの間に、空気Ｋの通路である隙間が形成されている。
【００６５】
胴地５９の上部５９Ａが内側に配置され、脇地５８の下部５８Ａが外側に配置されて、胴地５９の上部５９Ａと脇地５８の下部５８Ａとが作業着本体２の内外方向で重なっている。胴地５９の上部５９Ａと脇地５８の下部５８Ａとの間の前記隙間が、脇部開口５７である。なお、胴地５９の上端辺５９ａ、および脇地５８の下端辺５８ａは、胴周り方向に沿うよう互いに平行に形成されている。
【００６６】
本発明の第二の実施形態の作業着１では、脇部５６に脇部開口５７が形成されているから、ファン装置１１の羽根１５の回転により、外部から身頃側開口３３、ファン装置１１の空気吸込口２２を通って取込まれた空気Ｋの一部が、襟口、袖口等から外部へ排出されるとともに、脇部開口５７を通って外部へ排出される。そして、発汗の多い身体の脇において汗の気化を促進するから、作業者Ｈの身体の表面から熱が奪われて、身体が冷やされる。
【００６７】
ところで、第二の実施形態では、脇部開口５７は作業着本体２の襟口、袖口に比べてファン装置１１に近い位置に配置されることになる。このため、脇部開口５７から排出される空気Ｋが、襟口、袖口から排出される空気Ｋと、空気量としてバランス良く排出されるよう、脇部開口５７の大きさや位置、あるいは形状を設定することが好ましい。このようにすることで、発汗の多い身体の脇において汗の気化を促進させるとともに、作業者Ｈの身体全体の表面を均一に冷却することが可能となる。
【００６８】
例えば、脇部開口５７の大きさは、脇部５６に相当する部分において切除する領域の面積で任意に設定することができ、脇部開口５７の位置は、前身頃寄りとしたり後身頃寄りとしたりすることで任意に設定できる。また、脇部開口５７の形状は、例えば脇地５８の下部５８Ａを絞ることができるよう構成したり、脇地５８の一部をメッシュ生地としたりすることにより任意に設定することができる。なお、第二の実施形態における作業着１では、脇部開口５７を形成しているため、ファン装置１１を駆動させない状態であっても、脇部開口５７から外部へ空気Ｋが排出されることで、その分だけ涼感が得られる。
【００６９】
第二の実施形態における作業着１における他の作用効果は、第一の実施形態における作用効果と同様であるので、その説明を繰返さない。
【００７０】
次に、図９を参照しつつ、本発明の第三の実施形態に係る作業着１を説明する。本発明の第三の実施形態に係る作業着１が、第一の実施形態の作業着１と異なる部分は、袖６，７の構成である。すなわち、第三の実施形態に係る作業着１では、袖６，７は、身頃の肩口に取付けられた肩口側袖部６０と、肩口側袖部６０の袖丈方向先端部に分離部６１を介して着脱可能とされて袖口６２ａを有する袖口側袖部６２とを備えている。第三の実施形態における作業着１において、他の部分の構成は、第一の実施形態の作業着１と同様であるので、同一の符合を付してその説明を繰返さない。また、第一の実施形態の作業着１と同様の構成部分について、図９に符合が付されない部分については、図１ないし図６を適宜参照することとする。
【００７１】
分離部６１は、袖６，７を袖丈方向途中部分において周方向に切除して、袖６，７が肩口側袖部６０と、袖口側袖部６２とに分離される部分である。肩口側袖部６０は、身頃の服地（肩口）に縫着されている。
【００７２】
分離部６１は、袖丈方向途中部分において袖６，７が周方向に切除され、肩口側袖部６０の丈方向先端部に形成された肩側袖口６３の内周に沿ってスライドファスナ６４の一方のエレメント６６が縫着され、また、袖口側袖部６２の丈方向基端部（肩口側袖部６０側）の外周に沿ってスライドファスナ６４の他方のエレメント６７が縫着されることで構成されている。
【００７３】
分離部６１の位置は、袖６，７の袖丈方向における途中であれば特に限定されない。しかしながら、スライドファスナ６４のスライダ６５を操作して肩口側袖部６０から袖口側袖部６２を離脱させた際に、作業者Ｈの肘が露出する位置が好ましい。分離部６１が袖丈方向において肘を越える位置にあると、作業者Ｈが肘を曲げる動作がしにくいからである。また、肘（肘頭）の反対側の肘窩（「ちゅうか」と称される）は、発汗量が多い部分であるからである。
【００７４】
本発明の第三の実施形態における作業着１は、スライダ６５を操作して一方のエレメント６６および他方のエレメント６７どうしを噛合させることで、袖口側袖部６２が肩口側袖部６０に取付けられて、長袖タイプの作業着１となる。この状態では、第三の実施形態における作業着１は、第一の実施形態の作業着１と同様の用い方となる。
【００７５】
例えば、工場内の気温や湿度が上昇した場合、スライダ６５を操作して一方のエレメント６６および他方のエレメント６７どうしの噛合を離脱させることで、分離部６１において、肩口側袖部６０から袖口側袖部６２を離脱させた用い方をする。このようにすることで、作業着１を半袖タイプとして用いることができる。
【００７６】
袖６，７において袖口側袖部６２を離脱させることで、その分だけ涼感が得られ、解放感が得られる。また、ファン装置１１の羽根１５の回転により、外部から身頃側開口３３、ファン装置１１の空気吸込口２２を通って取込まれた空気Ｋの一部が、襟口、肩側袖口６３等から外部へ排出され、作業者Ｈの身体を冷却することができる。
【００７７】
作業着１を、溶接作業や研磨作業の際に着用する場合では、袖口側袖部６２の袖口付近等に破れが生じ易い。そこで、本発明の第三の実施形態の作業着１のように、袖６，７が、身頃の肩口に取付けられた肩口側袖部６０と、肩口側袖部６０の袖丈方向先端部に分離部６１を介して着脱可能とされていれば、袖口側袖部６２の袖口付近等に破れが生じた場合、新たな袖口側袖部６２に交換できる。
【００７８】
第三の実施形態における作業着１における他の作用効果は、第一の実施形態における作用効果と同様であるので、その説明を繰返さない。
【００７９】
本発明は上記実施形態に限られるものではなく、本発明の主旨を逸脱しない範囲で種々変形が可能である。その他、各部の具体的構成についても同様である。
【００８０】
例えば、上記各実施形態では、ファンポケット１２，１３は後身頃５に左右一対で設け、各ファンポケット１２，１３にファン装置１１を収納する場合を例示した。しかしながら、一対のファンポケット１２，１３の間に別のファンポケットをもう一つ設けるようにし、このファンポケットにもファン装置を収納するよう構成することもできる。このように、ファン装置の数を増加させることで、外部からの取り入れられる空気の量が増加するから、身体の冷却効果が向上する。あるいは一つのファンポケットを備え、これにファン装置を収納するよう構成することもできる。
【００８１】
ファンポケット１２，１３の間に別のファンポケットをもう一つ設ける場合では、ファンポケットの上下方向の位置は、ファンポケット１２，１３と同一にすることが好ましい。このようにすることにより、外部からの吸気が身体の背中側を均一に流れるから、その分だけ快適な使用ができる。
【００８２】
あるいは別に設けるファンポケットの位置は、ファンポケット１２，１３に対して高い位置（身体の背中の上部寄りの位置）に配置してもよい。この場合では、ファンポケットに収納されるファン装置により、襟口から吐出される空気量が増えるから、特に首もと部分に涼感が得られ、後頭部にも空気の流れを感じられるから、その分だけ快適な使用ができる。作業者Ｈがヘルメットを装着している場合では、後頭部とヘルメットとの間に流れる空気も期待でき、涼感が期待できる。
【００８３】
上記各実施形態では、スイッチ４５は、操作片４６をスライドさせることにより電力の給電・遮断の何れかの選択を行うようにしたスライド式スイッチを例示した。しかしながら、遮断に加え、給電モードとして羽根１５の回転数を複数段階に選択できるスイッチとすることも可能である。すなわち、弱モード、強モードの何れかを選択できるようにして、外部から取り入れられる空気Ｋの量を調整できるようにしてもよい。
【００８４】
この場合のスイッチは、一対のファンポケット１２，１３を設けて各ファンポケット１２，１３にファン装置１１を収納する構成に適用させてもよいし、一対のファンポケット１２，１３の間に別のファンポケットを設けてこれにファン装置を収納する構成に適用することもできる。前者の場合では双方のファン装置１１の羽根１５の回転数の多少が変更されて、外部から取り入れられる空気Ｋの量を変化させる。後者の場合では、弱モードにおいては、一対のファンポケット１２，１３に収納されたファン装置１１のみを駆動させ、強モードでは全てのファンポケットに収納されたファン装置を駆動させて、外部から取り入れられる空気Ｋの量を変化させる。
【００８５】
何れにしても、周囲の気温や湿度に応じたファン装置１１の運転ができ、場合によっては、電池３７の消費電力の低減ができる。
【００８６】
上記各実施形態では、後身頃５の裏側のポケット地は、略矩形の底地２６と、襠を形成する略矩形の左右の側面地２７，２８と、襠方向で対向する前地３０および後地３１とを備え、内部を直方体形状の収納空間であるポケット空間とした場合を例示した。しかしながら、上記実施形態のように、ポケット地は明確に区分する必要はなく、面ファスナ３２が閉じられた状態でのポケット地において、収納されたファン装置１１の自重支え、左右幅方向での位置ずれを規制し、厚み方向での傾斜を規制するものであれば、ポケット地は一体的物を用いていてもよい。
【００８７】
上記各実施形態では、ファンポケット１２，１３を形成するポケット地は、作業着本体２と同様に綿生地によって形成した場合を例示した。しかしながら、ファンポケット１２，１３を形成するポケット地は、伸縮性のある（伸縮性に富んだ）生地であってもよい。この場合、ファン装置１１をファンポケット１２，１３に収納したときに、ポケット地が伸張するようにファンポケット１２，１３の大きさを設定しておけば、作業者Ｈが作業のために動いたとしても、ポケット地の伸縮性（収縮性）によって、いっそう確実にファンポケット１２，１３に対するファン装置１１の位置保持をすることできる。
【００８８】
上記各実施形態では、身頃側開口３３、およびポケット側開口３４は同径の円形に形成され、空気吸込口２２、および空気吹出口２３と同径に形成された場合を例示した。しかしながら、ポケット側開口３４は、空気吹出口２３に比べてわずかに大きく設定することもできる。このようにしても、吸気路５１での空気Ｋの流れは邪魔されない。
【００８９】
上記各実施形態では、衣服は上着（ジャケット）の場合を例示した。しかしながら、本発明はずぼんにも適用することができる。この場合、例えば、ファンポケットは、後身頃の履き口の下方等に配置することができる。
【００９０】
上記各実施形態では、衣服を工場内で着用するのに適した作業着を例示した。しかしながら、作業着に限らず一般的な衣服にも本発明を適用することができる。
【００９１】
上記第二、第三の実施形態における作業着１では、ファン装置１１は特別に設けたポケットに装着される場合を例示した。しかしながら、ファン装置１１は、ポケットに装着されることに限定されない。例えば、ファン装置１１は、作業着本体２の身頃に形成した身頃側開口３３に対し、不図示の着脱用部材を用いて着脱可能に構成することができる。
【００９２】
第三の実施形態における作業着１では、分離部６１は、袖６，７を、スライドファスナ６４を介して肩口側袖部６０と袖口側袖部６２とに分離する構成を例示した。しかしながら、スライドファスナ６４に限らず、フックとループから構成される面ファスナを用いて肩口側袖部６０と袖口側袖部６２とに分離可能としたり、ドットボタンを用いて肩口側袖部６０と袖口側袖部６２とに分離可能としたりすることも可能である。
【符号の説明】
【００９３】
１…作業着、２…作業着本体、３，４…前身頃、５…後身頃、５Ａ…補強生地、６，７…袖、８…襟、１１…ファン装置、１２，１３…ファンポケット、１４…躯体、１５…羽根、１６…受電側コネクタ、１７…前板、１８…後板、２０…内装部、２０Ａ…内部空間、２２…空気吸込口、２３…空気吹出口、２４…給電側コネクタ、２５…ファン出入口、２６…底地、２７，２８…側面地、３０…前地、３１…後地、３２…面ファスナ、３３…身頃側開口、３４…ポケット側開口、３５…身頃側保形材、３６…ポケット側保形材、４５…スイッチ、４６…操作片、４７，４８…保持孔、５１…吸気路、Ａ…送風エリア、Ｈ…作業者、Ｋ…空気
【図１】
2017150120.tif 000003
【図２】
2017150120.tif 000004
【図３】
2017150120.tif 000005
【図４】
2017150120.tif 000006
【図５】
2017150120.tif 000007
【図６】
2017150120.tif 000008
【図７】
2017150120.tif 000009
【図８】
2017150120.tif 000010
【図９】
2017150120.tif 000011